(57)【要約】【課題】  プラズマディスプレイパネルをはじめとする駆動ボードから発生する騷音及び振動を効果的に吸収しながら、またＰＤＰ等から発生する熱を効果的に放熱させることができるプラズマディスプレイ装置を提供すること。【解決手段】  本発明によるプラズマディスプレイ装置は、プラズマディスプレイパネルと、前記プラズマディスプレイパネルと平面的に密着配置される第１ベース部材と、前記第１ベース部材に連結設置される第２ベース部材と、前記第１ベース部材と前記第２ベース部材の間に介挿される熱伝導性クッション部材と、を含む。【選択図】  図２
2006235564.tif 000002
【特許請求の範囲】
【請求項１】
プラズマディスプレイパネル;
前記プラズマディスプレイパネルと平面的に密着配置される第１ベース部材;
前記第１ベース部材に連結設置される第２ベース部材;及び
前記第１ベース部材と前記第２ベース部材の間に介挿される熱伝導性クッション部材
を含むプラズマディスプレイ装置。
【請求項２】
前記第１ベース部材は、
周縁部分が前記第２ベース部材と相互接合されるプレート形態に構成されることを特徴とする、請求項１に記載のプラズマディスプレイ装置。
【請求項３】
前記第１ベース部材は、
前記周縁部分を除いた残りの部分に前記熱伝導性クッション部材を定着させるための定着部を形成することを特徴とする、請求項２に記載のプラズマディスプレイ装置。
【請求項４】
前記第１ベース部材は、
前記周縁部分が接合部として形成されることを特徴とする、請求項３に記載のプラズマディスプレイ装置。
【請求項５】
前記熱伝導性クッション部材は、
ゴムまたはシリコン素材のシート形態に構成されることを特徴とする、請求項１に記載のプラズマディスプレイ装置。
【請求項６】
前記第２ベース部材は、
前記熱伝導性クッション部材と平面的に接触するプレート形態に構成されることを特徴とする、請求項５に記載のプラズマディスプレイ装置。
【請求項７】
前記第２ベース部材は、
前記熱伝導性クッション部材と接触する面の反対側の面に駆動回路部を設けて構成されることを特徴とする、請求項６に記載のプラズマディスプレイ装置。
【請求項８】
前記プラズマディスプレイパネルと前記第２ベース部材の周縁に備えられるとともに、前記プラズマディスプレイパネルと前記第２ベース部材を結合させる結合材を含むことを特徴とする、請求項１に記載のプラズマディスプレイ装置。
【請求項９】
前記第１ベース部材と第２ベース部材がアルミ素材で構成されることを特徴とする、請求項１に記載のプラズマディスプレイ装置。
【請求項１０】
前記第１ベース部材は、ゴムまたはシリコン素材で構成されることを特徴とする、請求項１に記載のプラズマディスプレイ装置。
【請求項１１】
前記第２ベース部材は、
所定の幅と長さを有するブラケット形態に構成されるとともに、前記第１ベース部材に対して一定間隔だけ離隔するように連続配置されることを特徴とする、請求項１に記載のプラズマディスプレイ装置。
【請求項１２】
前記第２ベース部材に駆動回路部を設けて構成されることを特徴とする、請求項１１に記載のプラズマディスプレイ装置。
【発明の詳細な説明】
【技術分野】
【０００１】
本発明はプラズマディスプレイ装置に関し、より詳しくは放熱及び防音性能を改善したプラズマディスプレイ装置に関する。
【背景技術】
【０００２】
一般に、プラズマディスプレイパネル（以下、ＰＤＰという）は放電セル内で起こる気体放電による真空紫外線で蛍光体を励起させて画像を表示する表示素子である。このＰＤＰは、表示容量と輝度、コントラスト、視野角などの性能が優れており、薄形及び軽量で大画面を実現することができる。
【０００３】
プラズマディスプレイ装置は、前記のように画像を実現するＰＤＰ、ＰＤＰを支持するシャーシーベース、ＰＤＰを対向してシャーシーベースに設置される駆動ボード等と、ＰＤＰとシャーシーベース及び駆動ボードを覆うプラズマディスプレイ装置の外形を形成するケースで構成される。
【０００４】
このケースは、ＰＤＰの前方に位置するフロントカバーと、ＰＤＰの後方に位置するバックカバーで構成される。ここでフロントカバーとバックカバーは普通互いに分解結合可能な結合構造を有する。
【０００５】
また、このカバー内に位置するＰＤＰとシャーシーベースの間には、放熱シートが介される。この放熱シートは、ＰＤＰで発生した熱をシャーシーベースに伝達して放熱させる。
【０００６】
プラズマディスプレイ装置の駆動時に、ＰＤＰでは電極の間の静電気によって騷音及び振動が発生する。そして、駆動ボードに設置される回路素子にも高圧の電流が流れるため、動作中に騷音及び振動が発生する。
【０００７】
従来のプラズマディスプレイ装置は、シャーシーベースとＰＤＰが放熱シートに面接着される方式によって構成される。従って、ＰＤＰから発生する騷音及び振動は、シャーシーベースを通して駆動ボードに伝達されて、駆動ボードに騷音及び振動がさらに増幅される結果が生じる。
【０００８】
しかし、放熱シートは、ＰＤＰ等で発生する騷音及び振動を低下させることも、ＰＤＰから発生する熱を効果的に放熱させることもできないのが実情である。
【発明の開示】
【発明が解決しようとする課題】
【０００９】
本発明の目的は、ＰＤＰをはじめとする駆動ボードから発生する騷音及び振動を効果的に吸収しながら、ＰＤＰ等で発生する熱を効果的に放熱させることができるプラズマディスプレイ装置を提供することである。
【課題を解決するための手段】
【００１０】
本発明によるプラズマディスプレイ装置は、プラズマディスプレイパネルと、前記プラズマディスプレイパネルと平面的に密着配置される第１ベース部材と、前記第１ベース部材に連結設置される第２ベース部材と、前記第１ベース部材と前記第２ベース部材の間に介される熱伝導性クッション部材を含む。
【００１１】
前記第１ベース部材は、周縁部分が前記第２ベース部材と相互接合されるプレート形態に構成することができる。
【００１２】
また、前記第１ベース部材は、前記周縁部分を除いた残りの部分に前記熱伝導性クッション部材を定着させるための定着部を形成することもできる。
【００１３】
また、前記第１ベース部材は、前記周縁部分が接合部として形成されることができる。
【００１４】
また、前記熱伝導性クッション部材は、ゴムまたはシリコン素材のシート形態に構成することもできる。
【００１５】
また、前記第２ベース部材は、前記熱伝導性クッション部材と平面的に接触するプレート形態に構成することができる。
【００１６】
また、前記第２ベース部材の前記熱伝導性クッション部材と接触する面の反対側の面に駆動回路部を設置して構成することもできる。
【００１７】
そして本発明によるプラズマディスプレイ装置は、前記プラズマディスプレイパネルと、前記第２ベース部材の周縁に備えられ、前記プラズマディスプレイパネルと前記第２ベース部材を結合させる結合材を含むことができる。
【００１８】
前記第１ベース部材及び第２ベース部材は、アルミ素材で構成することができる。
【００１９】
また、前記第１ベース部材は、ゴムまたはシリコン素材で構成することができる。
【００２０】
前記第２ベース部材は、所定の幅と長さを有するブラケット形態に構成することができて、前記第１ベース部材に対して一定間隔だけ離隔するように連続配置できる。この場合、本発明によるプラズマディスプレイ装置は、前記第２ベース部材に駆動回路部を設置して構成できる。
【発明の効果】
【００２１】
本発明のプラズマディスプレイ装置によると、シャーシーベースを第１ベース部材と第２ベース部材で構成して、この間に熱伝導性クッション部材を設置することによって、ＰＤＰ等で発生した熱を効果的に放熱させ、また、振動及び騷音を熱伝導性クッション部材によって効果的に吸収して防音できる効果がある。
【発明を実施するための最良の形態】
【００２２】
以下、添付図を参照して、本発明の実施形態について本発明の属する技術分野における通常の知識を有する者が容易に実施できるように詳細に説明する。しかし、本発明は多様な形態に実現できて、ここで説明する実施形態に限定されない。
【００２３】
図１は、本発明の実施形態によるプラズマディスプレイ装置の分解斜視図であり、図２は、図１のプラズマディスプレイ装置を組立てた状態の側断面図である。
【００２４】
図１を参照すると、プラズマディスプレイ装置１００は、プラズマ放電を利用して実質的に映像を表示するＰＤＰ１、このＰＤＰ１の一面、つまり、映像が表示される面の反対側の面に配置されてＰＤＰ１と結合されるシャーシーベース１０、及びシャーシーベース１０のＰＤＰ１が結合された面の反対側の面に装着されて、ＰＤＰ１の駆動に必要な信号を印加する駆動回路部３０を含む。
【００２５】
そして、このＰＤＰ１の前面側に配置されるフロントカバー５とシャーシーベース１０の後面側に配置されるバックカバー７をさらに含む。
【００２６】
フロントカバー５とバックカバー７は、シャーシーベース１０を覆いながら、ねじ（図示せず）によりシャーシーベース１０に一体に組立てられて装置の外形を構成する。
【００２７】
フロントカバー５は、ＰＤＰ１から放射される電磁波を遮断するためのフィルター１３を備え、このフィルター１３は、ＰＤＰ１の前面と接触するように配置される。
前記のＰＤＰ１は、通常、四角形（図面では、ｘ軸方向の長さがｙ軸方向の長さより長い長方形）の形状に構成される。
【００２８】
シャーシーベース１０は、ＰＤＰ１を支持するのに十分な機械的強度を有し、ＰＤＰ１等から発生する熱、騷音及びＥＭＩを効果的に低下させることができる構造に構成される。
【００２９】
本実施形態で、前記シャーシーベース１０は、ＰＤＰ１と平面的に密着配置される第１ベース部材１１と、第１ベース部材１１に連結設置される第２ベース部材１２を含んで構成される。ここで、平面的とは、本質的には平面と呼べなくとも、適当な組合せにより、一見、平面形状であるように見えることを言う。
【００３０】
前記第１ベース部材１１は、その周縁部分が第２ベース部材１２と接合されるプレート形態 に構成される。従って、前記第１ベース部材１１の周縁部分が、第２ベース部材１２と接合される接合部１１ａが形成される。
【００３１】
そして第１ベース部材１１の前記接合部１１ａを除いた残りの部分には、後述する熱伝導性クッション部材２０を定着させるための定着部１１ｂが形成される。
【００３２】
ここで定着部１１ｂは、前記接合部１１ａを除いた残りの部分がＰＤＰ１側に折曲されて、第２ベース部材と共に前記熱伝導性クッション部材２０を定着させる空間を形成して、ＰＤＰ１の映像が表示される面の反対側の面に密着される密着面を形成する。
【００３３】
従って、ＰＤＰ１から発生する熱は、第１ベース部材１１を通して第２ベース部材１２に伝達されて外部に放出される。
【００３４】
前記第２ベース部材１２は、ＰＤＰ１と平行配置されながら、第１ベース部材１１の接合部１１ａと接合されるプレート形態に構成される。
【００３５】
このような第２ベース部材１２は、第１ベース部材１１の接合部１１ａと接合されながら、前記の熱伝導性クッション部材２０を定着させる空間、つまり、第１ベース部材１１の定着部１１ｂによって設置空間を形成する。
【００３６】
この時、前記第２ベース部材１２と第１ベース部材１１の接合部１１ａは、溶接、ねじ止め、リベット結合またはトックス（TOX）方式などによって接合できる。
【００３７】
そして前記第２ベース部材１２は、第１ベース部材１１と同様に熱伝導特性が優れており、特に剛性を高くしたアルミ素材（ジュラルミンなど）で形成することができる。
【００３８】
しかし、本発明はこれに限定されず、第１ベース部材１１は、ＰＤＰ１から発生した騷音及び振動と、第２ベース部材１２を通して伝達される駆動回路部３０の騷音及び振動を遮断することができるように、第２ベース部材１２と他の柔らかい素材で構成されることも好ましい。
【００３９】
従って、前記第１ベース部材１１は、熱伝導性が高くて、騷音及び振動を遮断することができるゴムやシリコン素材で構成する事も出来る。
【００４０】
このような第２ベース部材１２において、熱伝導性クッション部材２０と密着される面の反対側の面には、ＰＤＰ１の駆動に必要な信号を印加する駆動回路部３０が通常の締結手段であるねじなどにより多数装着される。
【００４１】
これに加えて、ＰＤＰ１と第２ベース部材１２の間の周縁には、前記ＰＤＰ１と第２ベース部材１２を結合させるための結合材４０を備えている。
【００４２】
この結合材４０は、所定の弾性を有する物質を材料として用いた通常の両面テープに構成できる。
【００４３】
このように構成されるプラズマディスプレイ装置１００に、本発明による熱伝導性クッション部材２０が提供される。従って、この熱伝導性クッション部材２０は、ＰＤＰ１等で発生する熱を放熱させる放熱性能、及びＰＤＰ１などから伝達される振動を吸収して騷音を低下させる防音性を有する。
【００４４】
前記の熱伝導性クッション部材２０は、第１ベース部材１１と第２ベース部材１２の間に介されるように、シート形態で第１ベース部材１１の定着部１１ｂに定着することにより支持される。
【００４５】
このような熱伝導性クッション部材２０は、高い熱伝導率を有し、高い振動及び騷音吸水性を有するゴムまたはシリコン素材で形成されることができる。
【００４６】
従って、熱伝導性クッション部材２０は、第１ベース部材１１を通して、ＰＤＰ１から伝達される熱を速かに第２ベース部材１２に伝達して放熱させ、ＰＤＰ１から第１ベース部材１１に伝達されて、駆動回路部３０から第２ベース部材１２に伝達される騷音及び振動を吸収して低下させる。
【００４７】
従って、本発明によるプラズマディスプレイ装置１００の作動時に、第１ベース部材１１がＰＤＰ１と平面的に密着配置されて、第２ベース部材１２が第１ベース部材１１に連結設置される。従って、ＰＤＰ１から発生する熱の一部は、第１ベース部材１１を通して第２ベース部材１２に直接伝達されて放出され、残りは第１ベース部材１１と熱伝導性クッション部材２０を通して第２ベース部材１２に伝達されて放出される。
【００４８】
また、前記プラズマディスプレイ装置１００の作動時に、ＰＤＰ１では電極の間の静電気によって構造的な振動及び騷音が発生するが、前記振動及び騷音は第１ベース部材１１を通して熱伝導性クッション部材２０に伝達されて、この熱伝導性クッション部材２０に吸収される。
【００４９】
また、ＰＤＰ１の駆動に必要な電流の流れによって駆動回路部３０でも振動及び騷音が発生するが、この振動及び騷音は、第２ベース部材１２を通して熱伝導性クッション部材２０に伝達されて、この熱伝導性クッション部材２０に吸収される。
【００５０】
また、前記のように第１ベース部材１１がゴムやシリコンのような柔らかい素材で構成される場合、第１ベース部材１１がＰＤＰ１から熱伝導性クッション部材２０に伝達される振動及び騷音を一次吸収して効果的に遮断することもできる。
【００５１】
図３は、本発明の他の実施形態によるプラズマディスプレイ装置の分解斜視図である。図１で説明された符号と同一構成要素は、同一機能を有する同一部材であるため、以下、詳細な説明は省略する。
【００５２】
図３に示されたように、本実施形態によるプラズマディスプレイ装置２００は、電気実施形態の構造を基本として、第２ベース部材１２Ａが所定の幅と長さを有するブラケット形態に構成されて、第１ベース部材１１に対して一定間隔に離隔するように連続配置されるシャーシーベース１０Ａを構成する。
【００５３】
図４は、図３に示されたシャーシーベースの結合状態を概略的に示した背面図である。
図示されたように、前記各々の第２ベース部材１２Ａは、板状に備えられて、第１ベース部材１１に対してｙ軸方向に配置され、ｘ軸方向に一定間隔に離隔するように設置される。
【００５４】
このような第２ベース部材１２Ａは、熱伝導性クッション部材２０（図３）に密着された状態で、その両端部が第１ベース部材１１の接合部１１ａに接合設置される。
【００５５】
そして、前記第２ベース部材１２Ａには、ＰＤＰ１（図３）の駆動に必要な信号を印加する駆動回路部３０Ａが通常の締結手段であるねじなどにより多数装着される。
【００５６】
本実施形態によるプラズマディスプレイ装置２００の残り構成及び作用は、前記実施形態と同一であるため、反復的な説明は省略する。
【００５７】
以上、発明の好ましい実施形態について説明したが、本発明はこれに限定されず、特許請求の範囲と発明の詳細な説明及び添付図の範囲内で多様に変形して実施することが可能であり、これらも本発明の範囲に属するものとする。
【図面の簡単な説明】
【００５８】
【図１】本発明の実施形態によるプラズマディスプレイ装置の分解斜視図である。
【図２】図２は図１のプラズマディスプレイ装置を組立てた状態の側断面図である。
【図３】本発明の他の実施形態によるプラズマディスプレイ装置の分解斜視図である。
【図４】図３に示したシャーシーベースの結合状態を概略的に示した背面図面である。
【符号の説明】
【００５９】
１  プラズマディスプレイパネル（ＰＤＰ）
５  フロントカバー
７  バックカバー
１０  シャーシーベース
１０Ａ  シャーシーベース
１１  第１ベース部材
１１ａ  接合部
１１ｂ  定着部
１２  第２ベース部材
１３  フィルター
２０  熱伝導性クッション部材
３０  駆動回路部
４０  結合材
１２Ａ  第２ベース部材
１０Ａ  シャーシーベース
３０Ａ  駆動回路部
１００、２００  プラズマディスプレイ装置
【図１】
2006235564.tif 000003
【図２】
2006235564.tif 000004
【図３】
2006235564.tif 000005
【図４】
2006235564.tif 000006